(57)【要約】      （修正有）【課題】ケーキ等の内容物を損傷させることなく保冷材を確実に保持収容でき、保冷材その他の備品を収容するポケットを形成できる包装箱における補助収容部構造を提供する。【解決手段】本考案の包装箱における補助収容部構造は、平面視でコーナー角を有する正方形又は長方形の底板２と、該底板の外周の各辺に互いに隣接して起立可能に連設された周壁３ａ，３ｂ，４ａ，４ｂと、周壁３ａ，３ｂ，４ａ，４ｂ同士を連結して起立状態を保持する連結部とを備えた包装箱１に関する。上記周壁３ａ，３ｂ，４ａ，４ｂの側端に内面側に折り曲げることにより周壁３ａ，３ｂ，４ａ，４ｂの内面側に保冷材１５１その他の備品を収容して保持するポケット２１を補助フラップ９，１２を連設し、該補助フラップの自由端に補助フラップ９，１２を周壁３ａ，３ｂ，４ａ，４ｂ側に固定する固定手段を設けてなる。【選択図】図２
0003140321.tif 000002
【実用新案登録請求の範囲】
【請求項１】
平面視でコーナー角を有する正方形又は長方形の底板（２）と、該底板の外周の各辺に互いに隣接して起立可能に連設された周壁（３ａ），（３ｂ），（４ａ），（４ｂ）と、周壁（３ａ），（３ｂ），（４ａ），（４ｂ）同士を連結して起立状態を保持する連結部とを備えた包装箱（１）であって、周壁（３ａ），（３ｂ），（４ａ），（４ｂ）の側端に内面側に折り曲げることにより周壁（３ａ），（３ｂ），（４ａ），（４ｂ）の内面側に保冷材（１５１）その他の備品を収容して保持するポケット（２１），（２６），（３１）を形成する補助フラップ（９），（１２），（９１），（９２），（１２６）を連設し、該補助フラップ（９），（１２），（９１），（９２），（１２６）の自由端に補助フラップ（９），（１２），（９１），（９２），（１２６）を周壁（３ａ），（３ｂ），（４ａ），（４ｂ）側に固定する固定手段を設けてなる包装箱における補助収容部構造。
【請求項２】
補助フラップ（９），（９２）の固定手段が、補助フラップ（９），（９２）の自由端に折曲可能に連設され周壁（３ａ），（３ｂ），（４ａ），（４ｂ）又は周壁（３ａ），（３ｂ），（４ａ），（４ｂ）と共に起立する部材に形成された係止部（１９），（９８）に挿入して係止固定する差込片（１１），（９７）からなる請求項１の包装箱における補助収容部構造。
【請求項３】
補助フラップ（９），（９２），（１２６）の固定手段が、補助フラップ（９），（９２），（１２６）の自由端に連設され、周壁側（３ａ），（３ｂ），（４ａ），（４ｂ）に接着固定する接着フラップ（５１），（１０１），（１０２），（１２１），（１２７）よりなる請求項１の包装箱における補助収容部構造。
【請求項４】
連結部が周壁（３ａ），（３ｂ），（４ａ），（４ｂ）同士を係止固定して連結する係止フラップ（１４ａ），（１４ｂ），（４１ａ），（４１ｂ），（１１１ａ），（１１１ｂ），（１２３），（１３１）である請求項１，２又は３の包装箱における補助収容部構造。
【請求項５】
連結部が展開状態において底板（２）のコーナー部より外側に向って延びる折目を介して各隣接周壁（３ａ），（３ｂ），（４ａ），（４ｂ）を連結するひだ状の連結片（６１ａ），（６１ｂ）である請求項１，２又は３の包装箱における補助収容部構造。
【請求項６】
連結部が外面を隣接周壁（３ａ）の内面に接着固定する連結片（７１ａ），（７１ｂ）である請求項１，２又は３の包装箱における補助収容部構造。
【請求項７】
補助フラップ（９），（１２），（９１），（９２），（１２６）に包装箱（１）内部との通気を可能にする通気孔（２２）、（２７）、（９１ａ），（９２ａ），（１３４）を形成した請求項１，２，３，４，５又は６の包装箱における補助収容部構造。
【請求項８】
相対向し合う周壁（４ａ），（４ｂ）の一方の周壁（４ａ）の一端に連設した第一補助フラップ（９）と、他方の周壁（４ｂ）の相対向する端部側に連設した第二補助フラップ（１２）とにより、一対の補助フラップを構成し、第一補助フラップ（９）を一方の周壁（４ａ）の内面側に折返して一方の周壁（４ａ）との間に第一ポケット（２１），（３１）を形成する第一パターンと、第一補助フラップ（９）と第二補助フラップ（１２）とを、上記相対向し合う２つの周壁（４ａ），（４ｂ）間で互に重なり合って起立するように内側に折曲げて上記周壁（４ａ），（４ｂ）間に介在するその他の周壁（３ｂ）内面に第二ポケット（２６）を形成する第二パターンとを選択可能に構成した請求項１の包装箱における補助収容部構造。
【請求項９】
第一補助フラップ（９），（９２）及び第二補助フラップ（１２），（９１）をアングル状に折曲げて重ね合わせた際に、第一補助フラップ（９），（９２）自由端の差込片（１１），（９７）を挿入して係止固定する係止部（２４）を他方の第二補助フラップ（１２），（９１）に形成してなる請求項８の包装箱における補助収容部構造。
【請求項１０】
第二補助フラップ（１２），（９１）を内側に平面視アングル状に折曲げた際に、第二補助フラップ（１２），（９１）先端に形成されたフック部（１３），（９３）と係合する切欠部（２３），（９４）を第一補助フラップ（９），（９２）の連設端に形成してなる請求項８又は９の包装箱における補助収容部構造。
【請求項１１】
第二補助フラップ（１２）を内側にアングル状に折曲げた際に、第二補助フラップ（１２）先端に形成された差込片（３３）を挿入して係止固定する係止部（３４）を第一補助フラップ（９）の連設端に形成してなる請求項８，９又は１０の包装箱における補助収容部構造。
【考案の詳細な説明】
【技術分野】
【０００１】
この考案はケーキ等の内容物を損傷させることなく保冷材を確実に保持収容でき、保冷材その他の備品を収容するポケットを形成できる包装箱における補助収容部構造に関する。
【背景技術】
【０００２】
従来、特許文献１に示すように、側壁５に連設された前フラップ１０、１０ａを側壁５の内面側に折返して、側壁５と補助側壁８との未接着部隙間に前フラップ１０の先端を差し込むことにより、側壁５の内面側と前フラップ１０との間に保冷体収納ケースを形成するものが知られている。
【特許文献１】登録実用新案第３１３２８４０号公報
【考案の開示】
【考案が解決しようとする課題】
【０００３】
しかし、上記特許文献の包装箱の保冷体収納ケースは、側壁と補助側壁間に形成された隙間に前フラップの先端を差込むだけであるので、係止が不完全であるほか、弾みで外れた前フラップによってケーキ等の内容物を損傷させるという問題があった。また前フラップの一部を折り曲げて保冷体収容部を形成するために、前フラップ部分が短くなり、前壁と前フラップとの間に形成された隙間からゴミ等の塵が侵入し、前フラップ本来の役割が果せなかった。
【０００４】
保冷体収納ケースを形成する前フラップの長さ（前後長）が側壁に対して短いので、保冷体収納ケースのスペースが狭くなり、包装箱のサイズに比して保冷効果の少ない小さな保冷材しか収納することができないほか、保冷材のほかに他の備品を収納することができなかった。
【０００５】
保冷材を使用しないときには、前フラップを通常のフラップ位置（前壁と底板との折目）に止めて使用することができるものの、トレー等を使用して包装箱内にケーキ等の内容物を載置しなければならなかった。またトレーを使用しない場合はケーキ等の内容物を損傷させるという問題があった。
この考案は、これらの課題を解決又は改善し、ケーキ等の内容物を損傷させることなく保冷材を確実に保持収容でき、保冷材その他の備品を収容するポケットを形成できる包装箱における補助収容部構造を提供するものである。
【課題を解決するための手段】
【０００６】
上記課題を解決するための本考案の包装箱における補助収容部構造は、第１に、平面視でコーナー角を有する正方形又は長方形の底板２と、該底板の外周の各辺に互いに隣接して起立可能に連設された周壁３ａ，３ｂ，４ａ，４ｂと、周壁３ａ，３ｂ，４ａ，４ｂ同士を連結して起立状態を保持する連結部とを備えた包装箱１であって、周壁３ａ，３ｂ，４ａ，４ｂの側端に内面側に折り曲げることにより周壁３ａ，３ｂ，４ａ，４ｂの内面側に保冷材１５１その他の備品を収容して保持するポケット２１，２６，３１を形成する補助フラップ９，１２，９１，９２，１２６を連設し、該補助フラップ９，１２，９１，９２，１２６の自由端に補助フラップ９，１２，９１，９２，１２６を周壁３ａ，３ｂ，４ａ，４ｂ側に固定する固定手段を設けてなることを特徴としている。
【０００７】
第２に、補助フラップ９，９２の固定手段が、補助フラップ９，９２の自由端に折曲可能に連設され周壁３ａ，３ｂ，４ａ，４ｂ又は周壁３ａ，３ｂ，４ａ，４ｂと共に起立する部材に形成された係止部１９，９８に挿入して係止固定する差込片１１，９７からなることを特徴としている。
【０００８】
第３に、補助フラップ９，９２，１２６の固定手段が、補助フラップ９，９２，１２６の自由端に連設され、周壁側３ａ，３ｂ，４ａ，４ｂに接着固定する接着フラップ５１，１０１，１０２，１２１，１２７よりなることを特徴としている。
【０００９】
第４に、連結部が周壁３ａ，３ｂ，４ａ，４ｂ同士を係止固定して連結する係止フラップ１４ａ，１４ｂ，４１ａ，４１ｂ，１１１ａ，１１１ｂ，１２３，１３１であることを特徴としている。
【００１０】
第５に、連結部が展開状態において底板２のコーナー部より外側に向って延びる折目を介して各隣接周壁３ａ，３ｂ，４ａ，４ｂを連結するひだ状の連結片６１ａ，６１ｂであることを特徴としている。
【００１１】
第６に、連結部が外面を隣接周壁３ａの内面に接着固定する連結片７１ａ，７１ｂであることを特徴としている。
【００１２】
第７に、補助フラップ９，１２，９１，９２，１２６に包装箱１内部との通気を可能にする通気孔２２、２７、９１ａ，９２ａ，１３４を形成したことを特徴としている。
【００１３】
第８に、相対向し合う周壁４ａ，４ｂの一方の周壁４ａの一端に連設した第一補助フラップ９と、他方の周壁４ｂの相対向する端部側に連設した第二補助フラップ１２とにより、一対の補助フラップを構成し、第一補助フラップ９を一方の周壁４ａの内面側に折返して一方の周壁４ａとの間に第一ポケット２１，３１を形成する第一パターンと、第一補助フラップ９と第二補助フラップ１２とを、上記相対向し合う２つの周壁４ａ，４ｂ間で互に重なり合って起立するように内側に折曲げて上記周壁４ａ，４ｂ間に介在するその他の周壁３ｂ内面に第二ポケット２６を形成する第二パターンとを選択可能に構成したことを特徴としている。
【００１４】
第９に、第一補助フラップ９，９２及び第二補助フラップ１２，９１をアングル状に折曲げて重ね合わせた際に、第一補助フラップ９，９２自由端の差込片１１，９７を挿入して係止固定する係止部２４を他方の第二補助フラップ１２，９１に形成してなることを特徴としている。
【００１５】
第１０に、第二補助フラップ１２，９１を内側に平面視アングル状に折曲げた際に、第二補助フラップ１２，９１先端に形成されたフック部１３，９３と係合する切欠部２３，９４を第一補助フラップ９，９２の連設端に形成してなることを特徴としている。
【００１６】
第１１に、第二補助フラップ１２を内側にアングル状に折曲げた際に、第二補助フラップ１２先端に形成された差込片３３を挿入して係止固定する係止部３４を第一補助フラップ９の連設端に形成してなることを特徴としている。
【考案の効果】
【００１７】
以上の如く構成される本考案の包装箱における補助収容部構造によれば、以下に示すような効果を奏するものである。
（１）補助フラップを周壁内面側に折返して、周壁側に固定する固定手段を設けたことによって補助フラップを確実に固定できるので、外れた補助フラップによってケーキ等の内容物を損傷させることがない。
【００１８】
（２）一方の補助フラップを周壁内面側に折返して周壁内面側にポケットを形成するとともに、対向する周壁に連設された他方の補助フラップをアングル状に折り曲げて係止固定することによって、補助フラップを隣接周壁の内面側に設けて、塵等の侵入防止用の内周壁とすることができる。
【００１９】
（３）補助フラップの長さ(前後長)を周壁と同程度にすることにより、周壁と補助フラップとの間で形成されるポケットが周壁の長さに応じて広く取ることができる。さらに補助フラップを縁部を介して周壁内面側に折り曲げることにより、平面視で方形状に形成されるので、備品収容スペースが広くなるという利点がある。
【００２０】
（４）相対向し合う周壁間で相対向する端部側に連設された補助フラップ同士を内側にアングル状に折り曲げて重ね合わせることによって、重なり合った補助フラップ間にポケットを形成することができる。
【００２１】
（５）重ね合わされた補助フラップ同士を固定することにより、ポケットに備品を収容しても、係止固定した両フラップが外れることがないので、フラップのふらつきによりケーキ等の内容物の損傷を防止できる。
【００２２】
（６）補助フラップには通気孔を設けたので、ポケットに保冷材を収容した際に冷気を包装箱内に十分に行き渡らせることができる。
【考案を実施するための最良の形態】
【００２３】
以下本考案の第１実施例を図１〜図７に基づき説明する。図１は箱組み後の斜視図，図２は箱の組立途中を示す斜視図，図３は内面展開図を示している。
【００２４】
包装箱１は、底板２に対して周壁として前後壁３ａ，３ｂと左右側壁４ａ，４ｂが折曲げ起伏可能に連設されている。後壁３ｂの上端には天板６が連設され、該天板６の自由端には差込フラップ７が連設されている。
【００２５】
左側壁４ａの後端には縁部８を介して第一補助フラップ９が連設され、該第一補助フラップ９の自由端には第一補助フラップ９の固定手段として差込片１１が連設されている。右側壁４ｂの後端には第二補助フラップ１２が連設され、該第二補助フラップ１２の先端にはフック部１３が形成されている。
【００２６】
左右側壁４ａ，４ｂの前端には前壁３ａと連結することによって、前壁３ａと左右側壁４ａ，４ｂの起立を保持する係止フラップ（連結部）１４ａ，１４ｂがそれぞれ連設され、該係止フラップ１４ａ，１４ｂの先端にはフック部１６ａ，１６ｂが形成されている。
【００２７】
左右側壁４ａ，４ｂの上端には、箱組み時に内側にアングル状（水平方向）に折り曲げることによって、天板６を受け止めて保持する蓋受フラップ１７ａ，１７ｂが折曲げ可能に連設されている。
【００２８】
次に本包装箱１の組立方法及び第一ポケットを形成する第一パターンについて説明する。まず前壁３ａ及び左右側壁４ａ，４ｂを底板２に対して起立方向に折り曲げる。左右側壁４ａ，４ｂ前端に連設された係止フラップ１４ａ，１４ｂを内側にアングル状に折り曲げて、フック部１６ａ，１６ｂを前壁３ａに形成された係止用の切込み１８に、前壁３ａ外側より挿入して係止固定する。この係止フラップ１４ａ，１４ｂによって前壁３ａ及び左右側壁４ａ，４ｂの起立を保持する構成となっている。
【００２９】
左側壁４ａの後端に連設された第一補助フラップ９を縁部８を介して左側壁４ａ内面側に左側壁４ａと平面視で平行となるように図４のａ1方向に折り曲げる（図４，５参照）。第一補助フラップ９自由端の差込片１１を前壁３ａに形成された係止部１９に挿入して係止固定する。そして左側壁４ａと第一補助フラップ９との間に保冷材その他の備品を収容する第一ポケット２１を形成する。ちなみに差込片１１は前壁３ａと係止フラップ１４ａとの間に形成される隙間に挿入して固定することもできる。
【００３０】
上述のように形成された第一ポケット２１に保冷材等を収容し、包装箱１の後方（後壁３ｂ側）よりケーキ等を底板２上に載置する。第一補助フラップ９には包装箱１内に通じる通気孔２２が形成されているので、第一ポケット２１に収容された保冷材の冷気が包装箱１内に行き渡る構成となっている。ちなみにケーキ等は第二補助フラップ１２をアングル状に固定した後に、上方より底板２上に載置することもできる。
【００３１】
次に右側壁４ｂの後端に連設された第二補助フラップ１２を内側にアングル状に図４のａ2方向に折り曲げて、第二補助フラップ１２の自由端のフック部１３を縁部８と第一補助フラップ９との折目の上端に形成された切欠部２３に係止して第二補助フラップ１２のアングル状態を保持する。このようにして後壁４ｂ内面側に内壁を形成することができるので、後壁４ｂと左右側壁３ａ，３ｂ間の隙間からの塵等の侵入を防止することができる。
【００３２】
左右側壁４ａ，４ｂの上端の蓋受フラップ１７ａ，１７ｂを内側にアングル状に折り曲げて、後壁３ｂを起立方向に折り曲げるとともに、天板６を水平方向に折り曲げて、蓋受フラップ１７ａ，１７ｂで受け止める。そして図１に示すように前壁３ａと係止フラップ１４ａ，１４ｂ間に形成された隙間に差込フラップ７を挿入して箱組みを完成させる。
【００３３】
また図６，７に基づき、第二ポケット２６を形成する第二パターンについて説明する。前壁３ａ及び左右側壁４ａ，４ｂを起立状態に保持した後、右側壁４ｂ後端の第二補助フラップ１２を内側にアングル状に折り曲げて、フック部１３を切欠部２３に係止して平面視でアングル状に保持する。
【００３４】
第一補助フラップ９をアングル状態の第二補助フラップ１２に重ね合うように内側にアングル状に図６のｂ方向に折り曲げる。第一補助フラップ９自由端の差込片１１を第二補助フラップ１２に形成された係止部２４に挿入し係止固定することによって、第一補助フラップ９と第二補助フラップ１２間に第二ポケット２６を形成する。第二補助フラップ１２にも通気孔２７が形成されているので、第二ポケット２６に保冷材を収容した場合も、冷気を包装箱１内に行き渡らせることができる。
【００３５】
以下、図面に基づき他の実施例について説明する。共通する部品については同じ番号を使用し、主として異なる構成についてのみ説明し、共通する構成については説明を省略する。
【００３６】
図８，９は第２実施例を示すものであり、第一補助フラップ９を左側壁４ａ内面側に折返して左側壁４ａと第一補助フラップ９との間に平面視で三角形状の第一ポケット３１を形成する。但し第二実施例では第一ポケットを形成する第一パターンのみである。そして第二補助フラップ１２を内側にアングル状に折り曲げて、第二補助フラップ１２の自由端に連設された差込片３２を左側壁４ａと第一補助フラップ９との折目に形成された係止部３３に挿入係止して、第二補助フラップ１２のアングル状態を保持する。
【００３７】
そして第二補助フラップ１２の自由端に連設された当接フラップ３４を折り曲げて第一補助フラップ９に当接させる（図９参照）。該当接フラップ３４を第一補助フラップ９の連設端に当接させて上記第一実施例と同様に後壁４ｂ内面側に内壁を形成することによって、箱組み時の塵等の侵入を防止することができる
【００３８】
図１０，１１，１２は第３実施例であり、左右側壁４ａ，４ｂ前端に周壁の固定手段である係止フラップ４１ａ，４１ｂが連設されており、左右側壁４ａ，４ｂを起立させて係止フラップ４１ａ，４１ｂを内側にアングル状に折り曲げる。
【００３９】
そして前壁３ａを起立させながら前壁３ａの左右上端に形成された切欠部４２ａ，４２ｂを挿入して係止固定し、前壁３ａ及び左右側壁４ａ，４ｂの起立を保持する。この場合係止フラップ４１ａ，４１ｂは前壁３ａの内面側に位置するので、第一ポケット２１を形成する場合は第一補助フラップ９自由端に連設された差込片１１を係止フラップ４１ａに形成された係止部４４に挿入して係止固定する（図１１参照）。
【００４０】
そしてケーキ等を包装箱１内に収容後、天板６を蓋受フラップ１７ａ，１７ｂで受け止めながら差込フラップ７に突出形成された突起部４６を前壁３ａに形成された係止部４７に挿入して係止固定し、箱組みを完成させる。この第３実施例の包装箱の場合、図１２の（Ａ），（Ｂ）に示すように、図１の第１実施例と比較して係止フラップ１４ａ，１４ｂが見えない構成となっているので、箱組み後の正面からの見栄えが良いという特徴がある。
【００４１】
図１３は第４実施例であり、第一補助フラップ９の自由端に接着フラップ５１を連設して、該接着フラップ５１の接着代５２ａを係止フラップ１４ａの５２ｂに予め接着固定しておき、箱組み時に第一ポケット２１が形成されるという特徴がある。
【００４２】
図１４は第５実施例であり、左右側壁４ａ，４ｂと前壁３ａとを連結する連結部が、底板２のコーナー部より外側に向って延びる山線の折目を介して折曲げ可能に形成されたひだ状の連結片６１ａ，６１ｂである。前壁３ａ側の連結片６１ａ，６１ｂの固定部６２ａ，６２ｂの接着代６３ａを前壁３ａの接着代６３ｂに予め接着固定し、連結片６１ａ，６１ｂの中央の折目６４ａ，６４ｂを介して折り畳んで平板状にして保存する。
【００４３】
起立状態となった連結片６１ａの可動部６５ａに形成された係止部６６に第一補助フラップ９の差込片１１を挿入し係止固定することによって第一ポケット２１が形成される。そして天板６は第３実施例と同様に、差込フラップ７に突出形成された突起部４６を前壁３ａに形成された係止部４７に挿入して係止固定し、箱組みを完成させる。
【００４４】
図１５は第６実施例であり、左右側壁４ａ，４ｂの前端に連設された連結片７１ａ，７１ｂの外面側の接着代７２ａを前壁３ａ内面側の接着代７２ｂに予め接着固定する。前壁３ａ連設下端コーナー部から上端の中央部に向って形成された山線の折目７３ａ，７３ｂを介して折り畳んで平板状にして保存する構成となっている。その他の構成は上記第５実施例を同様であるため説明を省略する。
【００４５】
図１６は第７実施例であり、その構成は第５実施例と略同様であり、異なる点は連結片６１ａ，６１ｂの可動部６５ａ，６５ｂの左右側壁４ａ，４ｂ側上端に形成された切込み８１ａ，８１ｂに前壁３ａ左右上端の切欠部４２ａ，４２ｂを挿入し係止固定する点が異なる。また連結片６１ａ，６１ｂの中央の折目６４ａ，６４ｂより前壁３ａ側に折目８２ａ，８２ｂを形成して折目６４ａ，６４ｂと折目８２ａ，８２ｂ間に可動ひだ８３ａ，８３ｂを形成した点が特徴である。
【００４６】
図１７は第８実施例であり、左右側壁４ａ，４ｂの前端に第一補助フラップ９１と第二補助フラップ９２を折曲げ可能に連設している。第一補助フラップ９を縁部８を介して左側壁４ａの内面側に折り返して差込片１１を第一補助フラップ９１の係止部９６に挿入し係止固定する。そして第一補助フラップ９２を縁部９５を介して右側壁４ｂ内面側に折り返して差込片９７を第二補助フラップ１２の係止部９８に挿入し係止固定することによって、左右側壁４ａ，４ｂの内面側に第一ポケット（図示しない）を同時に形成する。
【００４７】
そして第二補助フラップ１２のフック部１３を第一補助フラップ９の連設端上部の切欠部２３に係止するとともに、第一補助フラップ９１のフック部９３を第一補助フラップ９２の連設端上部の切欠部９４に係止することによって、左右側壁４ａ，４ｂの起立を保持する連結部として機能している。
【００４８】
さらに第一補助フラップ９と第二補助フラップ１２をアングル状に折り曲げて重ね合わせて、後壁３ｂの内面側に第二ポケット（図示しない）を形成する。同様に第一補助フラップ９２と第二補助フラップ９１をアングル状に折り曲げて第一補助フラップ９２の差込片９７を第一補助フラップ９１の係止部９９に挿入し係止固定することによって、前壁３ａの内面側にも第二ポケット（図示しない）を形成することができる。また第一補助フラップ９２及び第二補助フラップ９１にも包装箱内部との通気を可能にした通気孔９２ａ，９１ａが形成されている。
【００４９】
図１８は第９実施例であり、構成は上記の第８実施例と略同様であり、第一補助フラップ９，９２の自由端に接着フラップ１０１，１０２を連設し、接着フラップ１０１，１０２の接着代１０３ａ，１０４ａを第二補助フラップ９１，１２の接着代１０３ｂ，１０４ｂに予め接着固定している。
【００５０】
左右側壁４ａ，４ｂを起立させて第二補助フラップ１２，９１のフック部１３，９３を第一補助フラップ９，９２の切欠部２３，９４に係止することによって、左右側壁４ａ，４ｂの起立を保持し、左右側壁４ａ，４ｂの内面側に第一ポケット（図示しない）を形成する。但しこの例では前後壁３ａ，３ｂの内面側に第二ポケットを形成することはできない。
【００５１】
図１９は第１０実施例であり、左右側壁４ａ，４ｂの前端に係止フラップ１１１ａ，１１１ｂを折曲げ可能に連設され、係止フラップ１１１ａ，１１１ｂの自由端に形成されたフック部１１２ａ，１１２ｂを互いに係止することによって、係止フラップ１１１ａ，１１１ｂを連結し、左右側壁４ａ，４ｂの起立を保持する構成となっている。第一ポケット２１は第一補助フラップ９の差込片１１を係止フラップ１１１ａの係止部１１３に挿入し係止固定することによって形成される。
【００５２】
図２０は第１１実施例であり、その構成は第３実施例と第９実施例を組み合わせたものとなっている。第一補助フラップ９の自由端に接着フラップ１２１を連設し、接着フラップ１２１の接着代１２２ａを、左側壁４ａ前端に連設された係止フラップ１２３の接着代１２２ｂに接着固定する。
【００５３】
また右側壁４ｂ前端に縁部１２４を介して第一補助フラップ１２６を折曲げ可能に連設し、該第一補助フラップ１２６の自由端に接着フラップ１２７を連設している。そして該接着フラップ１２７の接着代１２８ａを第二補助フラップ１２の接着代１２８ｂに予め接着固定する。
【００５４】
そして左右側壁４ａ，４ｂを起立させて、第二補助フラップ１２のフック部１３を第一補助フラップ９連設端上部の切欠部２３に係止して、左右側壁４ａ，４ｂの起立を保持し、左右側壁４ａ，４ｂ内面側に第一ポケット（図示しない）を形成することができる。但しこの例では前後壁３ａ，３ｂの内面側に第二ポケットを形成することはできない。
【００５５】
前壁３ａは、係止フラップ１２３に形成された係止部１２９と、右側壁４ｂの前端であって第二補助フラップ１２６の上方に折曲げ可能に連設された係止フラップ１３１の係止部１３２に前壁３ａ左右上端の切欠部１３３ａ，１３３ｂを挿入し係止固定することによって前壁３ａの起立を保持している。また第二補助フラップ１２６には通気孔１３４が形成されている。
【００５６】
以上のように構成される本発明の包装箱の補助収容部構造は、上記態様に限らず右側壁内面側のみにポケットを形成することもできる。また他の実施例同士を組み合わせて他の構成の包装箱を形成することもできる。その他、通気孔の形状等のその他の形状は上記態様に限らず他の形状にすることが可能であり、通気孔の数も包装箱のサイズに応じて自由に変更可能である。
【図面の簡単な説明】
【００５７】
【図１】本考案の第１実施例を示す全体斜視図である。
【図２】本考案の第１実施例の開蓋状態を示す全体斜視図である。
【図３】本考案の第１実施例を示す内面展開図である。
【図４】本考案の第１実施例の第一ポケットを形成する第一パターンを示す拡大斜視図である。
【図５】本考案の第１実施例の第一ポケットの形成状態を示す平面図である。
【図６】本考案の第１実施例の第二ポケットを形成する第二パターンを示す拡大斜視図である。
【図７】本考案の第１実施例の第二ポケットの形成状態を示す平面図である。
【図８】本考案の第２実施例を示す内面展開図である。
【図９】本考案の第２実施例の第一ポケットを形成する第一パターンを示す平面図である。
【図１０】本考案の第３実施例を示す内面展開図である。
【図１１】本考案の第３実施例の第一ポケットを形成する第一パターンを示す拡大斜視図である。
【図１２】本考案の第３実施例の天板の自由端のフラップの固定方法を示す正面図であり、（Ａ）は突起部の挿入前、（Ｂ）は突起部の挿入後である。
【図１３】本考案の第４実施例を示す内面展開図である。
【図１４】本考案の第５実施例を示す内面展開図である。
【図１５】本考案の第６実施例を示す内面展開図である。
【図１６】本考案の第７実施例を示す内面展開図である。
【図１７】本考案の第８実施例を示す内面展開図である。
【図１８】本考案の第９実施例を示す内面展開図である。
【図１９】本考案の第１０実施例を示す内面展開図である。
【図２０】本考案の第１１実施例を示す内面展開図である。
【符号の説明】
【００５８】
１      包装箱
２      底板
３ａ    前壁（周壁）
３ｂ    後壁（周壁）
４ａ    左側壁（周壁）
４ｂ    右側壁（周壁）
８      縁部
９      第一補助フラップ（補助フラップ）
１１    差込片（固定手段）
１２    第二補助フラップ（補助フラップ）
１３    フック部
１４ａ  係止フラップ（連結部）
１４ｂ  係止フラップ（連結部）
１９    係止部
２１    第一ポケット（ポケット）
２２    通気孔
２３    切欠部
２４    係止部
２６    第二ポケット（ポケット）
２７    通気孔
３１    第一ポケット（ポケット）
４１ａ  係止フラップ（連結部）
４１ｂ  係止フラップ（連結部）
５１    接着フラップ（固定手段）
６１ａ  連結片（連結部）
６１ｂ  連結片（連結部）
６６    係止部
７１ａ  連結片（連結部）
７１ｂ  連結片（連結部）
９１    第二補助フラップ（補助フラップ）
９１ａ  通気孔
９２    第一補助フラップ（補助フラップ）
９２ａ  通気孔
９３    フック部
９４    切欠部
９５    縁部
９６    係止部
９７    差込片（固定手段）
９８    係止部
９９    係止部
１０１  接着フラップ（固定手段）
１０２  接着フラップ（固定手段）
１１１ａ  係止フラップ（連結部）
１１１ｂ  係止フラップ（連結部）
１２１    接着フラップ（固定手段）
１２３    係止フラップ（連結部）
１２４    縁部
１２６    第一補助フラップ（補助フラップ）
１２６ａ  通気孔
１２７    接着フラップ（固定手段）
【図１】
0003140321.tif 000003
【図２】
0003140321.tif 000004
【図３】
0003140321.tif 000005
【図４】
0003140321.tif 000006
【図５】
0003140321.tif 000007
【図６】
0003140321.tif 000008
【図７】
0003140321.tif 000009
【図８】
0003140321.tif 000010
【図９】
0003140321.tif 000011
【図１０】
0003140321.tif 000012
【図１１】
0003140321.tif 000013
【図１２】
0003140321.tif 000014
【図１３】
0003140321.tif 000015
【図１４】
0003140321.tif 000016
【図１５】
0003140321.tif 000017
【図１６】
0003140321.tif 000018
【図１７】
0003140321.tif 000019
【図１８】
0003140321.tif 000020
【図１９】
0003140321.tif 000021
【図２０】
0003140321.tif 000022